(57)【要約】【課題】安全に構成されたトランポリンを提供する。【解決手段】ユーザの運動に供されるベッドシート(2)と該ベッドシートを囲繞する支持フレーム(3)の間に環状空間を形成し、該環状空間の周方向に間隔をあけて配置された多数の弾性支持手段(4)により、ベッドシートの周縁部(2a)に列設された取着部(6)と支持フレーム(3)を相互に連結して成るトランポリンにおいて、前記支持フレーム(3)を包み込むカバーシート(7)により前記環状空間を上方から被うと共に、該カバーシートの内周縁部(7b)を周方向の全周に連続してベッドシート(2)に対して着脱自在に係着する係着手段(10)を設けている。【選択図】図６
2018117774.tif 000002
【特許請求の範囲】
【請求項１】
ユーザの運動に供されるベッドシート(2)と該ベッドシートを囲繞する支持フレーム(3)の間に環状空間を形成し、該環状空間の周方向に間隔をあけて配置された多数の弾性支持手段(4)により、ベッドシートの周縁部(2a)に列設された取着部(6)と支持フレーム(3)を相互に連結して成るトランポリンにおいて、
前記支持フレーム(3)を包み込むカバーシート(7)により前記環状空間を上方から被うと共に、該カバーシートの内周縁部(7b)を周方向の全周に連続してベッドシート(2)に対して着脱自在に係着する係着手段(10)を設けて成ることを特徴とするトランポリン。
【請求項２】
前記係着手段(10)は、ベッドシートの取着部(6)が設けられた周縁部(2a)よりも内周側に位置して周方向に間隔をあけて列設された多数の外向きループ片(11)と、カバーシートの内周縁部(7a)に位置して周方向に間隔をあけて列設された多数の内向きループ片(12)と、前記外向きループ片と内向きループ片に対して交互に挿通させられる係着ロープ(13)により構成されて成ることを特徴とする請求項１に記載のトランポリン。
【請求項３】
ベッドシート(2)は、ベッドシートの取着部が設けられた周縁部(2a)よりも内周側に位置して該周縁部と平行に延びる帯状体(16)を備えており、該帯状体(16)とベッドシート(2)の間に外向きループ片(11)の基端部を介装すると共にサンドイッチ状態で一体固着して成ることを特徴とする請求項１又は２に記載のトランポリン。
【発明の詳細な説明】
【技術分野】
【０００１】
本発明は、トランポリン、特に、家庭用のトランポリンに関する。
【背景技術】
【０００２】
従来、ユーザの跳躍運動等に供するため、ベッドシートと該ベッドシートを囲繞する支持フレームの間に環状空間を形成し、該環状空間の周方向に間隔をあけて配置された多数の弾性支持手段により、ベッドシートの周縁部に列設された取着部と支持フレームを相互に連結して成るトランポリンが提供されている。
【先行技術文献】
【特許文献】
【０００３】
【特許文献１】特開平８−１８２７７３号公報
【特許文献２】特開２００２−２１００３５号公報
【特許文献３】実用新案登録第３００３５１１号公報
【特許文献４】実用新案登録第３０７７１４５号公報
【特許文献５】実用新案登録第３１９８１９０号公報
【発明の概要】
【発明が解決しようとする課題】
【０００４】
上記のようなトランポリンは、ベッドシートの周囲に環状空間が形成されると共に、環状空間に多数の弾性支持手段が配置されているので、跳躍運動を行う際の安全性に問題があり、このため、本出願人は、カバーシートを設けたトランポリン（以下、「比較例」という。）を提案している。
【０００５】
前記比較例を図１に基づいて説明すると、図１（Ｂ）に示すように、トランポリン本体１は、ユーザの運動に供される強靭かつ柔軟な布製のベッドシート２と、ベッドシート２を囲繞する金属製円環状の支持フレーム３と、ベッドシート２と支持フレーム３の間に形成された環状空間の周方向に間隔をあけて配置された多数の弾性支持手段４により構成され、弾性支持手段４により、ベッドシート２の周縁部２ａを放射方向に向けて支持部フレーム３に連結している。尚、支持フレーム３は、脚部５を備えており、床面に安定設置される。
【０００６】
図１（Ｃ）に示すように、ベッドシート２の周縁部２ａに取着部６が列設され、それぞれの取着部６は、弾性支持手段４により、支持フレーム３に連結されている。図例の場合、取着部６は、Ｄ形金具６ａを布片６ｂにより抱持すると共に、布片６ｂを周縁部２ａに逢着することにより形成されている。しかしながら、取着部６は、図示のような構成の他、周縁部２ａに開設した孔でも良く、要するに弾性支持手段４を取付可能とするものであれば良い。
【０００７】
前記弾性支持手段４は、図例の場合、金属製のコイルスプリングにより構成され、フック部４ａを前記Ｄ形金具６ａに引掛け固定している。因みに、弾性支持手段４は、コイルスプリングの他、弾性紐や、その他の弾性的に伸長可能な部材により構成しても良く、要するに、ベッドシート２がユーザの荷重を受けて沈み込んだとき伸長すると共に、ベッドシート２をフラット状態に復元させる放射方向の張力を発生するものであれば良い。
【０００８】
このため、トランポリン本体１を弾性支持手段４が露出した状態で使用する場合は、安全上の問題がある。例えば、ベッドシート２の上で飛び跳ねるユーザが弾性支持手段４の上に着地すると足裏を負傷するおそれがあり、隣り合う弾性支持手段４の間に足先を入れると姿勢を崩して捻挫又は骨折のおそれがあり、更には床面に転落する危険がある。
【０００９】
そこで、比較例は、トランポリン本体１に布製のカバーシート７を設けている。カバーシート７は、支持フレーム３を外周側から包み込む断面Ｕ形の外環状部７ａと、前記弾性支持手段４が列設された環状空間を上方から被う内周縁部７ｂを備えている。
【００１０】
従って、トランポリン本体１にカバーシート７を設けることにより、図１（Ａ）に示すように、ベッドシート２と支持フレーム３の間における弾性支持手段４を含む環状空間は、カバーシート７の内周縁部７ｂにより好適に被覆されている。このため、ベッドシート２の上で飛び跳ねるユーザが誤って環状空間に向けて着地しても、直接には弾性支持手段４の上に着地することはないので足裏が保護され、しかも、足先を隣り合う弾性支持手段４の間に入れて捻挫又は骨折するような危険もない。
【００１１】
しかしながら、本発明者の知得によれば、カバーシート７を設けた状態で、前記弾性支持手段４を含む環状空間が該カバーシート７の内周縁部７ｂにより被覆されている場合であっても、ユーザがベッドシート２の上で飛び跳ねる際、ベッドシート２が沈み込むと、該ベッドシート２とカバーシート７の内周縁部７ｂの間に隙間が生じるため、着地したユーザの足先が該隙間に挿入される危険があることが判明した。この場合、ユーザの足先がカバーシート７の内周縁部７ｂに引掛り、床面に転落する危険を招来する。
【００１２】
本発明は、このような問題を解消し、ベッドシート２とカバーシート７の内周縁部７ｂの間に隙間が生じないようにしたトランポリンを提供することを課題としている。
【課題を解決するための手段】
【００１３】
そこで、本発明が手段として構成したところは、ユーザの運動に供されるベッドシートと該ベッドシートを囲繞する支持フレームの間に環状空間を形成し、該環状空間の周方向に間隔をあけて配置された多数の弾性支持手段により、ベッドシートの周縁部に列設された取着部と支持フレームを相互に連結して成るトランポリンにおいて、前記支持フレームを包み込むカバーシートにより前記環状空間を上方から被うと共に、該カバーシートの内周縁部を周方向の全周に連続してベッドシートに対して着脱自在に係着する係着手段を設けて成る点にある。
【００１４】
本発明の好ましい実施形態において、前記係着手段は、ベッドシートの取着部が設けられた周縁部よりも内周側に位置して周方向に間隔をあけて列設された多数の外向きループ片と、カバーシートの内周縁部に位置して周方向に間隔をあけて列設された多数の内向きループ片と、前記外向きループ片と内向きループ片に対して交互に挿通させられる係着ロープにより構成されている。
【００１５】
ベッドシートは、ベッドシートの取着部が設けられた周縁部よりも内周側に位置して該周縁部と平行に延びる帯状体を備え、該帯状体とベッドシートの間に外向きループ片の基端部を介装すると共にサンドイッチ状態で一体固着することが好ましい。
【発明の効果】
【００１６】
本発明によれば、トランポリン本体１にカバーシート７を設け、カバーシート７の内周縁部７ｂにより、ベッドシート２と支持フレーム３の間の弾性支持手段４を含む環状空間を被覆する構成であるから、ベッドシート２の上で飛び跳ねるユーザが誤って環状空間に向けて着地するような場合でも、重大な事故を招来することはない。そして、カバーシート７の内周縁部７ｂは、係着手段１０により、ベッドシート２の周縁部２ａよりも内周側の部位に係着されているので、内周縁部７ｂにより弾性支持手段４のみならずベッドシート２の周縁部２ａにオーバラップした状態で被覆することができ、しかも、ユーザがベッドシート２の上で飛び跳ねることによりベッドシート２が沈み込むときでも、該ベッドシート２とカバーシート７の内周縁部７ｂの間に、ユーザの足先が入り込むような隙間を生じることはなく、安全にトランポリン運動を行うことができる。
【００１７】
特に、係着手段１０は、ベッドシート２の周縁部２ａの内周側に沿って外向きループ片１１を列設し、カバーシート７の内周縁部７ｂに沿って内向きループ片１２を列設し、外向きループ片１１と内向きループ片１２に対して交互に係着ロープ１３を挿通するように構成しておけば、カバーシート７の内周縁部７ｂが全周にわたりベッドシート２に近接状態で保持され、隙間発生の防止効果が高いものとなる。
【００１８】
この際、ベッドシート２に周方向に連続して延びる帯状体１６を設け、多数の外向きループ片１１を該帯状体１６とベッドシート２の間にサンドイッチ状態で一体に固着した構成としておけば、ベッドシート２の局部個所２Ｐだけが大きく沈み込ませられ、該局部個所２Ｐにより特定の外向きループ片１１ａを強く引っ張る場合でも、該局部個所２Ｐの沈み込み方向に向けて帯状体１６が牽引され、牽引部分に設けられた他の外向きループ片１１に対して張力を減じながら分散するので、前記特定の外向きループ片１１ａに隣接する内向きループ片１２ａがカバーシート７の内周縁部７ｂから引きちぎられることを好適に防止できる効果がある。
【図面の簡単な説明】
【００１９】
【図１】比較例に係るトランポリンを示しており、（Ａ）はカバーシートを装着したトランポリンを示す斜視図、（Ｂ）はトランポリン本体とカバーシートを分離した状態で示す斜視図、（Ｃ）は弾性支持手段を取付固定するベッドシートの取着部を示す斜視図である。
【図２】本発明の１実施形態に係るトランポリンを示す斜視図である。
【図３】本発明の１実施形態に関して、トランポリン本体とカバーシートを分離した状態で示す斜視図である。
【図４】トランポリン本体にカバーシートを装着する方法に関して、（Ａ）は係着ロープを外向きループ片と内向きループ片に交互に挿通する方法を示す斜視図、（Ｂ）は挿通後の係着ロープの両端部を締結する方法を示す斜視図である。
【図５】カバーシートの装着方法に関して、係着手段を示す拡大図である。
【図６】カバーシートの装着後の状態に関して、係着手段を示す拡大図である。
【図７】係着手段の好ましい実施形態に関して、ベッドシートが沈み込んだときの作用を示す拡大図である。
【発明を実施するための形態】
【００２０】
以下図面に基づいて本発明の好ましい実施形態を詳述する。
【００２１】
図２は、本発明の１実施形態に係るトランポリンを示し、図３は、トランポリン本体１とカバーシート７を分離した状態を示している。
【００２２】
トランポリン本体１は、強靭な布製のベッドシート２と該ベッドシート２を囲繞する金属製円環状の支持フレーム３の間に環状空間を形成し、該環状空間の周方向に間隔をあけて配置された多数の弾性支持手段４により、ベッドシート２の周縁部２ａに列設された取着部６と支持フレーム３を相互に連結しており、前記支持フレーム３を包み込むカバーシート７の内周縁部７ｂにより前記環状空間を上方から被うように構成されている。このような構成は、図１に基づいて上述した比較例と同様であり、従って、同一又は類似する構成部分は、上記の比較例と同じ符号で示すことにより上述の説明を援用し、重複した説明を省略する。
【００２３】
尚、図２に例示するトランポリンの場合、支持フレーム３に着脱自在な支柱８、８を設けると共に、該支柱８、８に上下摺動自在かつ固定自在な門形のハンドルフレーム９を装着しており、ユーザがベッドシート２の上で飛び跳ねながら運動を行うとき、ハンドルフレーム９のグリップ９ａを握持することにより、転倒防止等の安全が図られるように配慮している。更に、一対の支柱８、８と門形のハンドルフレーム９に囲まれた空間部を横断する安全帯体９ｂを設け、児童が不適切な使用、例えば、門形フレーム９を利用して鉄棒等の運動を行うことができないように配慮している。
【００２４】
本発明において、トランポリン本体１のベッドシート２の周縁部２ａと支持フレーム３の間における弾性支持手段４を含む環状空間を被うカバーシート７の内周縁部７ｂは、係着手段１０により、ベッドシート２の周縁部２ａに着脱自在に係着させられるように構成されている。
【００２５】
このような係着手段１０は、例えば、カバーシート７の内周縁部７ｂと、ベッドシート２の周縁部２ａの相互に、面ファスナを設けることにより構成することも可能である。しかしながら、比較例に関して上述したように、ユーザがベッドシート２の上で飛び跳ねる際に沈み込むベッドシート２の周縁部２ａに対して、外環状部７ａが支持フレーム３を包み込むことにより固定されたカバーシート７の内周縁部７ｂは、前記周縁部２ａに追従し難いため、面ファスナの場合は、容易に剥離し分離してしまう難点がある。従って、係着手段１０は、以下のように構成することが好ましい。
【００２６】
図３及び図４に示すように、係着手段１０は、ベッドシート２の取着部６が設けられた周縁部２ａよりも内周側に位置して周方向に間隔をあけて列設された多数の外向きループ片１１と、カバーシート７の内周縁部７ｂに位置して周方向に間隔をあけて列設された多数の内向きループ片１２と、前記外向きループ片１１と内向きループ片１２に対して交互に挿通させられる係着ロープ１３により構成されている。
【００２７】
図５に示すように、カバーシート７の内周縁部７ｂは、折返し状態で逢着することにより形成した袋状部にゴム紐等を挿通させることにより、該内周縁部７ｂを収縮方向に弾発する弾性収縮手段１４を設けることが好ましく、前記内向きループ片１２は、テープ状の布片をＵ形に折返し、重ね合わせられた基端部を内周縁部７ｂの下面に逢着することができる。尚、カバーシート７の外環状部７ａの下側部分に保持孔１５を形成しておけば、該保持孔１５にトランポリン本体１の脚部５を挿通させることにより、支持フレーム３を包み込んだ状態で外環状部７ａを捲り上がらないように固定することが可能になる。
【００２８】
ベッドシート２は、取着部６を設けた周縁部２ａよりも内周側に位置して該周縁部２ａと平行に延びる帯状体１６を備えており、前記外向きループ片１１は、テープ状の布片をＵ形に折返し、重ね合わせられた基端部を前記帯状体１６とベッドシート２の間に介装し、サンドイッチ状態で逢着することにより一体固着されている。
【００２９】
そこで、図４（Ａ）及び図５に示すように、ベッドシート２の外向きループ片１１と、カバーシート７の内向きループ片１２を対向させ、係着ロープ１３を外向きループ片１１と内向きループ片１２に対して交互に挿通した後、図４（Ｂ）に示すように、係着ロープ１３の両端部１３ａ、１３ａを引き寄せることにより緊張させると、図６に示すように、外向きループ片１１と内向きループ片１２が交互に周方向に隣接するように整列されるので、その後、係着ロープ１３の両端部１３ａ、１３ａを結束すれば良い。
【００３０】
これにより、カバーシート７の内周縁部７ｂは、係着手段１０により、ベッドシート２の周縁部２ａよりも内周側の部位に係着されているので、該内周縁部７ｂが弾性支持手段４のみならずベッドシート２の周縁部２ａにオーバラップされることにより広い領域を被覆しているので、ユーザがベッドシート２の上で飛び跳ねることによりベッドシート２が沈み込むときでも、該ベッドシート２とカバーシート７の内周縁部７ｂの間にユーザの足先が入り込むような隙間を生じることはなく、安全にトランポリン運動を行うことができる。
【００３１】
ところで、ユーザの飛び跳ねによりベッドシート２の局部個所２Ｐが深く沈み込むとき、図７に示すように、弾性支持手段４により弾性的に支持された状態で、局部個所２Ｐが矢印Ｍで示すような強い張力を生じ、当該個所２Ｐに対応して位置する外向きループ片１１ａを矢印Ｆ１で示すように強い張力で引き寄せるため、これに隣接する内向きループ片１２ａが係着ロープ１３を介して強く引っ張られ、該内向きループ片１２ａの基端部とカバーシート７の内周縁部７ｂの逢着部を破断してしまうおそれがある。この点に関して、図示実施形態の場合、ベッドシート２は、周方向に連続して延びる帯状体１６を設け、多数の外向きループ片１１を該帯状体１６とベッドシート２の間にサンドイッチ状態で一体に固着している。従って、ベッドシート２が局部個所２Ｐを沈み込ませたとき、該局部個所２Ｐの沈み込み方向に向けて帯状体１６が牽引され、これにより、他の外向きループ片１１を矢印Ｆ２、Ｆ３で示すように次第に張力を減じながら引き寄せる。このため、前記外向きループ片１１ａに対する引張力Ｆ１は、他の外向きループ片１１に分散されることにより減じられ、内向きループ片１２ａの逢着部の破断を好適に防止することができる。
【００３２】
尚、係着手段１０は、係着ロープ１３の結束を解き、該係着ロープ１３を外向きループ片１１及び内向きループ片１２から抜き取るだけで、カバーシート７の内周縁部７ｂとベッドシート２の係着を解除できるので、カバーシート７をトランポリン本体１から簡単容易に取外すことにより、洗濯その他のメンテナンスに供することができる。
【符号の説明】
【００３３】
１  トランポリン本体
２  ベッドシート
２ａ  周縁部
３  支持フレーム
４  弾性支持手段
４ａ  フック部
５  脚部
６  取着部
６ａ  Ｄ形金具
６ｂ  布片
７  カバーシート
７ａ  外環状部
７ｂ  内周縁部
８  支柱
９  ハンドルフレーム
９ａ  グリップ
９ｂ  安全帯体
１０  係着手段
１１  外向きループ片
１２  内向きループ片
１３  係着ロープ
１３ａ  両端部
１４  弾性収縮手段
１５  保持孔
１６  帯状体
【図１】
2018117774.tif 000003
【図２】
2018117774.tif 000004
【図３】
2018117774.tif 000005
【図４】
2018117774.tif 000006
【図５】
2018117774.tif 000007
【図６】
2018117774.tif 000008
【図７】
2018117774.tif 000009